(57)【要約】  商用交流電源駆動中に急激な電圧降下や瞬停が発生した場合にも、安定した動作が行える移動型X線装置とするために、該移動型X線装置は外部電源100に接続するためのプラグ20と、プラグ20を介して外部電源100から充電されるバッテリと、プラグ20を介して接続された商用交流電源100から給電されて動作するユニット30と、ユニット30が商用交流電源100からの給電により駆動中に、商用交流電源100からの電圧が規定値以下になると、ユニット30に対してバッテリ24から給電する整流器27を備えた第2回路29と、を備える。
2012067171.tif 000002
【特許請求の範囲】
【請求項１】
外部電源に接続するための外部電源接続部と、前記外部電源接続部を介して前記外部電源を用いて充電されるバッテリと、前記外部電源接続部を介して前記外部電源を用いて給電されて動作するユニットと、を有する移動型X線装置において、
前記外部電源接続部と前記ユニットとの間に設置され、第1の整流器を備えて構成された第1回路と、前記バッテリと前記ユニットとの間に設置され、第2の整流器を備えて構成された第2回路と、を有し、
前記ユニットに対し、前記外部電源より前記第1回路を介して給電される電圧が前記バッテリの出力電圧より低くなった場合、前記バッテリより前記第2回路を介して前記ユニットに給電することを特徴とする移動型X線装置。
【請求項２】
前記第1回路の一端は、前記外部電源接続部と、バッテリとの間に接続され、前記第1回路の他端は、前記ユニットに接続されていることを特徴とする請求項1に記載の移動型X線装置。
【請求項３】
前記外部電源は商用交流電源であり、前記外部電源接続部には、前記商用交流電源から出力される交流電圧を所定の交流電圧に変換する電圧変換部が接続され、前記電圧変換部には、前記電圧変換部から出力される交流電流を直流電流に変換するAC-DC変換部が接続され、前記AC-DC変換部には、AC-DC変換部から出力される直流電流を用いて前記バッテリを充電するためのバッテリ充電器が接続され、前記バッテリ充電器には、前記バッテリが接続されると共に、
前記第1回路の一端は、前記AC-DC変換部の出力側に接続され、前記第1回路の他端は、前記ユニットに接続されていることを特徴とする請求項2に記載の移動型X線装置。
【請求項４】
前記第1の整流器は第1のダイオードであり、前記第2の整流器は第2のダイオードであり、前記第1のダイオードのアノード側は、前記AC-DC変換部の出力側に接続され、前記第1のダイオードのカソード側は、前記ユニットに接続され、前記第2のダイオードのアノード側は、前記バッテリ側に接続され、前記第2のダイオードのカソード側は前記第1のダイオードのカソード側に接続されていることを特徴とする請求項3に記載の移動型X線装置。
【請求項５】
前記ユニットは、所定の機能を実現する単位ユニットを少なくとも一つ以上用いて構成され、前記移動型X線装置は、前記外部電源又は前記バッテリの少なくとも一方により駆動させる前記単位ユニットを選択する選択手段を備えることを特徴とする請求項1に記載の移動型X線装置。
【請求項６】
前記単位ユニットは、当該単位ユニットに応じた電圧に変換するためのユニット電圧変換部を備えることを特徴とする請求項5に記載の移動型X線装置。
【請求項７】
前記単位ユニットは、イメージングプレートから画像信号を読み取る画像読取装置、撮影条件の入力設定を行う操作ユニット、又は外部ネットワークに接続可能な通信手段、のうちの少なくとも一つである、ことを特徴とする請求項5に記載の移動型X線装置。
【請求項８】
前記外部電源を用いて前記バッテリを充電する際、前記外部電源を用いて前記ユニットに対する給電を停止する停止手段を有し、前記停止手段は前記第1のダイオードのカソード側と前記第2のダイオードのカソード側との接続点と、前記ユニットとの間に設置するスイッチによって構成させることを特徴とする請求項4に記載の移動型X線装置。
【発明の詳細な説明】
【技術分野】
【０００１】
本発明は、移動型X線装置に関し、特に充電時技術に関する。
【背景技術】
【０００２】
特許文献1には、バッテリに充電しながら撮影内容の確認や画像処理が行える移動型X線撮影装置であって、電源プラグの挿抜時における電源プラグの接触の断続に対応するために、所定のタイムラグを経過してから商用交流電源駆動とバッテリ駆動との切替を行う移動型X線撮影装置が開示されている。
【先行技術文献】
【特許文献】
【０００３】
【特許文献１】特開2010-94327号公報
【発明の概要】
【発明が解決しようとする課題】
【０００４】
一般に、商用交流電源には瞬時の電圧降下や瞬停が発生することがある。特許文献1の移動型X線装置において、商用交流電源駆動により、撮影内容の確認や画像処理を行っているときに上記の電圧降下や瞬停が生じると、移動型X線装置に設置したユニット(イメージングプレートに蓄積された潜像を読み出す画像読取装置や、撮影条件の入力設定や、画像読取装置で読み込んだ画像を表示させるための制御を行う制御部など)に給電する電圧が規定値以下になり、動作が不安定となるという問題があった。【０００５】
本発明は上記問題に鑑みてなされたものであり、商用交流電源駆動中に急激な電圧降下や瞬停が発生した場合にも、ユニットに対し給電する電圧が規定値以下とならず安定した動作が行える移動型X線装置を提供することを目的とする。
【課題を解決するための手段】
【０００６】
前記課題を解決するために、本発明に係る移動型X線装置は、外部電源に接続するための外部電源接続部と、外部電源接続部を介して外部電源を用いて充電されるバッテリと、外部電源接続部を介して外部電源を用いて給電されて動作するユニットと、を有する移動型X線装置であって、外部電源接続部とユニットとの間に設置され、第1の整流器を備えて構成された第1回路と、バッテリとユニットとの間に設置され、第2の整流器を備えて構成された第2回路と、を有し、ユニットに対し、外部電源より第1回路を介して給電される電圧がバッテリの出力電圧より低くなった場合、バッテリより第2回路を介してユニットに給電する。
【発明の効果】
【０００７】
本発明によれば、外部電源(商用交流電源)駆動中に急激な電圧降下や瞬停が発生した場合にも、ユニットに対し給電する電圧が規定値以下とならず安定した動作が行える移動型X線装置を提供することができる。また、充電時にユニットが使用できるので、バッテリの残量を気にすることなく、撮影準備や画像読取操作が行うことができる。
【図面の簡単な説明】
【０００８】
【図１】本実施形態に係る移動型X線装置の全体構成を示す模式図
【図２】第1実施形態に係る移動型X線装置の内部構成を示すブロック図
【図３】第1実施形態に係る移動型X線装置の各モードと第1スイッチ26及び第2スイッチ41、キースイッチ(モード選択部51から操作)のON/OFF、及び商用電源(プラグ)の接続/非接続の対応関係を示す説明図
【図４】第1実施形態に係る移動型X線装置の充電兼AC駆動モードにおける内部構成を示すブロック図
【図５】第1実施形態に係る移動型X線装置のバッテリ駆動モード(全機能)における内部構成を示すブロック図
【図６】第2実施形態に係る移動型X線装置の内部構成を示すブロック図
【図７】第2実施形態に係る移動型X線装置の各モードと第2スイッチ41及び第3スイッチa61、第3スイッチb62、第3スイッチc63、キースイッチ(モード選択部51から操作)のON/OFF、及び商用電源(プラグ)の接続/非接続の対応関係を示す説明図
【発明を実施するための形態】
【０００９】
本発明の実施形態につき説明する。
【００１０】
本発明の移動型X線装置は、商用交流電源駆動中に急激な電圧降下や瞬停が発生した場合にも、ユニットに対し給電する電圧が規定値以下とならず安定した動作が行えるように、外部電源に接続するための外部電源接続部と、前記外部電源接続部を介して前記外部電源を用いて充電されるバッテリと、前記外部電源接続部を介して前記外部電源を用いて給電されて動作するユニットと、を有し、前記外部電源接続部と前記ユニットとの間に設置され、第1の整流器を備えて構成された第1回路と、前記バッテリと前記ユニットとの間に設置され、第2の整流器を備えて構成された第2回路と、を有し、前記ユニットに対し、前記外部電源より前記第1回路を介して給電される電圧が前記バッテリの出力電圧より低くなった場合、前記バッテリより前記第2回路を介して前記ユニットに給電することを特徴とする。
【００１１】
また、前記第1回路の一端は、前記外部電源接続部と、バッテリとの間に接続され、前記第1回路の他端は、前記ユニットに接続されていることを特徴とする。
【００１２】
また、前記外部電源は商用交流電源であり、前記外部電源接続部には、前記商用交流電源から出力される交流電圧を所定の交流電圧に変換する電圧変換部が接続され、前記電圧変換部には、前記電圧変換部から出力される交流電流を直流電流に変換するAC-DC変換部が接続され、前記AC-DC変換部には、AC-DC変換部から出力される直流電流を用いて前記バッテリを充電するためのバッテリ充電器が接続され、前記バッテリ充電器には、前記バッテリが接続されると共に、前記第1回路の一端は、前記AC-DC変換部の出力側に接続され、前記第1回路の他端は、前記ユニットに接続されていることを特徴とする。
【００１３】
また、前記第1の整流器は第1のダイオードであり、前記第2の整流器は第2のダイオードであり、前記第1のダイオードのアノード側は、前記AC-DC変換部22の出力側に接続され、前記第1のダイオードのカソード側は、前記ユニットに接続され、前記第2のダイオードのアノード側は、前記バッテリ側に接続され、前記第2のダイオードのカソード側は前記第1のダイオードのカソード側に接続されていることを特徴とする。
【００１４】
また、前記ユニットは、所定の機能を実現する単位ユニットを少なくとも一つ以上用いて構成され、前記移動型X線装置は、前記外部電源又は前記バッテリの少なくとも一方により駆動させる前記単位ユニットを選択する選択手段を備えることを特徴とする。
【００１５】
また、前記単位ユニットは、当該単位ユニットに応じた電圧に変換するためのユニット電圧変換部を備えることを特徴とする。
【００１６】
また、前記単位ユニットは、イメージングプレートから画像信号を読み取る画像読取装置、撮影条件の入力設定を行う操作ユニット、又は外部ネットワークに接続可能な通信手段、のうちの少なくとも一つである、ことを特徴とする。
【００１７】
また、前記外部電源を用いて前記バッテリを充電する際、前記外部電源を用いて前記ユニットに対する給電を停止する停止手段を有し、前記停止手段は前記第1のダイオードのカソード側と前記第2のダイオードのカソード側との接続点と、前記ユニットとの間に設置するスイッチによって構成させることを特徴とする。
【００１８】
本発明によれば、外部電源(商用交流電源)駆動中に急激な電圧降下や瞬停が発生した場合にも、ユニットに対し給電する電圧が規定値以下とならず安定した動作が行える移動型X線装置を提供することができる。
【００１９】
以下、本発明の実施形態について、図を参照して詳述する。以下の説明において、同一機能を有するものには同一の符号を付し、重複した説明は省略する。
【００２０】
＜全体構成＞
まず、図1に基づいて、本実施形態に係る移動型X線装置の全体構成について説明する。図1は、本実施形態に係る移動型X線装置の全体構成を示す模式図である。
【００２１】
図1に示すように、本実施形態に係る移動型X線装置10は、本体部1と、本体部1を搭載して移動する台車4とを備える。本体部1は台車4上に固定される。また、台車4の下部には、モータ駆動する車輪8が備えられる。更に、台車4の前部には、支柱6が回転可能に立設される。支柱6には、支柱6に沿って昇降動するアーム5が備えられる。アーム5の先端には、本体部1からの制御によりX線を発生するX線発生部2と、X線の照射野を調整するX線可動絞り3とが備えられている。
【００２２】
本体部1は、X線発生部2と操作パネル(図示を省略)とを備える。X線可動絞り3は、X線発生部2の直下に回転自在に装着されて、X線発生部2と共にアーム5を介して支柱6にスライド自在に支持されている。X線発生部2とX線可動絞り3は、支柱6の回転、支柱6沿いの昇降およびアーム5の伸縮により撮影時に所定の位置に移動する。
【００２３】
X線検出器7は、X線撮影時には、X線発生部2に対向するように設置され、被検体9を透過したX線を検出するものであり、透過X線信号を潜像として蓄積するイメージングプレートや、複数の検出素子が二次元アレイ状に配置されたFPD(Flat Panel Detector)、またフィルムにより構成させる。
【００２４】
＜第1実施形態＞
次に、図2に基づいて第1実施形態に係る移動型X線装置の内部構成について説明する。図2は、第1実施形態に係る移動型X線装置の内部構成を示すブロック図である。
【００２５】
第1実施形態に係る移動型X線装置10aは、外部電源である商用交流電源100に接続するための外部電源接続部であるプラグ20と、商用交流電源100から出力される交流電圧を所定の交流電圧に変換する電圧変換部21と、電圧変換部21から出力される交流電流を直流電流に変換するAC-DC変換部22と、AC-DC変換部22から出力される直流電流を用いてバッテリ24を充電するためのバッテリ充電器23とを備え、プラグ20、電圧変換部21、AC-DC変換部22、バッテリ充電器23、及びバッテリ24とが電気的に接続される。AC-DC変換部22とバッテリ充電器23との間には、接点Paが備えられる。
【００２６】
接点Paと本体部1に搭載されたユニット30とは、第1整流器25と第1スイッチ26とを介して電気的に接続される。本実施形態では第1整流器25を、第1回路28と称する。AC-DC変換部22で変換された直流電流の一部は、第1回路28、及び第1スイッチ26を経て、ユニット30へと供給される。これにより、ユニット30が、商用交流電源駆動することとなる。
【００２７】
本実施形態では、ユニット30が備える各部として、イメージングプレートに蓄積された潜像を読み出す画像読取装置(以下「CR」と略記する)31と、撮影条件の入力設定や、CRで読み込んだ画像を表示させるための制御を行う制御部(以下「PC」と略記する)32と、院内LAN等の外部ネットワークに接続し、撮影に必要な情報、例えば被検体の撮影条件を示すオーダ情報を取得するための外部ネットワークとの通信装置の一部であるHUB33があるが、これらは一例にすぎず、ユニットが備える各機能は限定されない。CR31、PC32、HUB33の各部には、図示を省略するものの、各ユニットに応じた電圧に変換するためのユニット電圧変換部を内蔵する。ユニットが直流電流にて動作する場合は、DC-DCコンバータにより構成されるが、ユニットが交流電流にて動作する場合は、DC-ACコンバータにより構成される。X線検出器7としてFPDを用いる場合にはCR31に代えてFPDからの電気信号に基づいて被検体のX線画像を生成する画像処理装置を用いてもよい。
【００２８】
バッテリ24は、第2スイッチ41を介して、X線発生部2及びX線絞り3の動作を制御する撮影制御部40と電気的に接続される。更に、バッテリ24は、第2整流器27を介して、第1回路28と第1スイッチ26との間の接点Pbにおいて電気的に接続される。本実施形態では、本実施形態では第2整流器27を、第2回路29と称する。
【００２９】
本実施形態に係る移動型X線装置は、充電のみを行う充電専用モードと、充電中にユニット30を、商用交流電源100を用いて駆動(以下「AC駆動」と記載する)する充電兼AC駆動モードと、バッテリ駆動のみを行うバッテリ駆動モード、及び停止モードの主に4つのモードがある。更に、バッテリ駆動モードは、全機能を動作させるモードと、撮影制御部40のみを動作させるモードと、本体部1のユニットのみを動作させるモードと、に細分化されてもよい。本実施形態では、バッテリ駆動モードが上記3つのモードに細分化されるとして説明を行う。
【００３０】
移動型X線装置10には、本体部1に備えられたダイヤル式スイッチやタッチパネル、コマンドスイッチ(キースイッチ)などを用いて各モードを選択するモード選択部51と、選択されたモードに応じて第1スイッチ26及び第2スイッチ41のON/OFF信号を送信し、モードに合った接続状態になるように制御する充電制御部50とを備える。充電制御部50は、電圧変換部21、第1スイッチ26、第2スイッチ41、モード選択部51、及び接点Pbと第1スイッチ26との間で接続される。充電制御部50は、モード選択部51で選択されたモードに従って、第1スイッチ26及び第2スイッチ41のON/OFFを制御する。
【００３１】
以下、図3〜図5に基づいて、各モードについて説明する。図3は、第1実施形態に係る移動型X線装置の各モードと第1スイッチ26及び第2スイッチ41、キースイッチ(モード選択部51から操作)のON/OFF、及び商用交流電源100とプラグ20の接続/非接続の対応関係を示す説明図である。図4は、第1実施形態に係る移動型X線装置の充電兼AC駆動モードにおける内部構成を示すブロック図である。図5は、第1実施形態に係る移動型X線装置のバッテリ駆動モード(全機能)における内部構成を示すブロック図である。
【００３２】
(充電専用モード)
キースイッチをOFFにし、プラグ20を商用交流電源100に接続すると、充電専用モードとなり、図3「充電専用モード」に示すように、第1スイッチ26、第2スイッチ41共にOFFとなる(図2は第1スイッチ26、第2スイッチ41共にOFFであり、この状態で、プラグ20を挿すと充電専用モードに移行する)。第1スイッチ26がOFFとなることにより、商用交流電源100からユニット30への給電は停止する。この充電専用モードでは、商用交流電源100から交流電圧(例えばAC100v)が給電され、電圧変換部21において、ACV1vに変換(例えばAC200vに昇圧)される。次いで、AC-DC変換部22において、ACV1vからDCV1v(例えばDC282v)に交流直流変換される。そして、DCV1vの直流電圧が、バッテリ充電器23に供給され、バッテリ24への充電が開始する。充電専用モードでは、AC-DC変換部22から出力される直流電流が全て充電に用いられるため、充電に要する時間をより短縮できる。
【００３３】
(充電兼AC駆動モード)
プラグ20を商用交流電源100に接続した状態で、キースイッチをONにする入力操作を行うと、充電兼AC駆動モードとなり、図4に示すように、第1スイッチ26はON、第2スイッチ41はOFFとなる(図3の「充電兼AC駆動モード」参照)。この充電兼AC駆動モードでは、商用交流電源100から交流電圧(例えばAC100v)が給電され、電圧変換部21においてACV1vに変換される。次いで、AC-DC変換部22においてDCV1v(例えばDC282v)に交流直流変換される。AC-DC変換部22から出力された直流電流の一部は、バッテリ充電器23へ送られてバッテリ24への充電が開始される。それと同時に、AC-DC変換部22から出力された直流電流の残りは、第1回路28へ送られる。よって、第1回路28には、DCV1vが印加される。第1スイッチ26を介してユニット30へDCV1vが印加される。
【００３４】
一方、バッテリ24からは、DCV1vよりも低い電圧DCV2v(例えばDC200v)の直流電圧が供給されるため、第2回路29にはDCV2vが印加される。
【００３５】
商用交流電源100Vから安定して電流が供給されている間は、ユニット30へは、第1回路及び、第1スイッチ26を介してDCV1vの直流電圧が供給されて、ユニット30がAC電源駆動する。
【００３６】
万一、商用交流電源100Vからの電流の供給が不安定となり、電圧降下を含む瞬停が生じた結果、AC-DC変換部22からの出力が停止、またはDCV2v未満になると、瞬時に接点Pbを介してバッテリ24からDCV2vの直流電圧がユニット30へ供給される。つまり、ユニット30が外部電源である商用交流電源100からの給電により駆動中に、商用交流電源100からの電圧が規定値(バッテリ24から出力される電圧DCV2v)以下になると、ユニット30に対してバッテリ24から給電される。言い換えれば、AC-DC変換部22から出力される電圧と、バッテリ24からから出力される電圧との電位差によって、電位の高い方からユニット30に対して給電される。
【００３７】
なお、AC-DC変換部22から供給される電圧が所定値(例えばDCV2v)以下になると、充電性能が低下するため、バッテリ24への充電を停止し、電力を全てのユニットへの供給に使用するように構成してもよい。
【００３８】
(バッテリ駆動モード)
回診時には、移動型X線装置を被検体のベッドサイドに移動させ、バッテリ駆動によりX線の照射及び画像の読み取り等の諸動作を行う。そのため、バッテリ駆動モードでは、全機能を動作させるモードが選択されることが多い。よって、まずバッテリ駆動モードのうち、全機能を動作させるモードについて説明する。プラグ20が商用交流電源100に接続されていない状態で、キースイッチをONにする入力操作を行うと、バッテリ駆動モード(全機能)となり、図5に示すように第1スイッチ26及び第2スイッチ41が共にONとなる(図3の「バッテリ駆動モード(全機能)」参照)。この状態で、X線発生部2とX線検出器7とを被検体9を挟んで対向配置し、バッテリ24から撮影制御部40に直流電圧(DCV2v)が印加され、X線が照射される。更に、ユニット30も、バッテリ24からDCV2vが印加され、CR31、PC32、必要に応じてHUB33が動作し、画像の読出しや表示、またオーダ情報の受信が行われる。
【００３９】
バッテリ駆動モードでは、原則、移動型X線装置の全機能を用いることができるが、バッテリ駆動をさせる機能をモード選択部51で限定して選択する機能、例えば、キースイッチのON/OFFに加えて、「バッテリ駆動モード(全機能)」、「バッテリ駆動モード(撮影制御)」、「バッテリ駆動モード(ユニット)」など、各モードの選択機能を追加することで、例えばX線撮影のみを行う「バッテリ駆動モード(撮影制御)」と、本体部1のユニットのみを動作させる「バッテリ駆動モード(ユニット)」と、を選ぶことができる。すなわち、プラグ20が商用交流電源100に接続されていない状態において「バッテリ駆動モード(撮影制御)」のキースイッチをONにすると、充電制御部50は、第1スイッチ26をOFF、第2スイッチ41をONにする。同様に、プラグ20が商用交流電源100に接続されていない状態において、「バッテリ駆動モード(ユニット)」のキースイッチをONにすると、充電制御部50は、第1スイッチ26をON、第2スイッチ41をOFF、に切り替える(図3の「バッテリ駆動モード(撮影制御)」、「バッテリ駆動モード(ユニット)」参照)。
【００４０】
(停止モード)
プラグ20が商用交流電源100に接続されていない状態においてキースイッチをOFFにすると、充電制御部50は、第1スイッチ26、第2スイッチ41が共にOFFとし、完全に電源がOFFとなる。
【００４１】
本実施形態によれば、商用交流電源100にプラグ20を接続してバッテリ24を充電中に、ユニット30の各機能を動作させることができる。
通常、移動型X線装置の充電は、回診後に移動型X線装置を保管する場所に移動させた後、次の回診に備えて行ったり、回診前の準備時において、バッテリ24の残量不足の場合に行ったりすることが多い。これら充電中において、例えばHUB33を経由して被検体のオーダ情報を取得したり、PC32を駆動して操作ユニットから撮影条件の入力設定を行ったり、CR31を駆動して画像の読出しを行ったりすることができるので、充電中にも撮影準備や画像読取動作を行うことができる。
【００４２】
更に、充電中に商用交流電源100の電圧低下や瞬停が生じた場合にも、第2回路29を経由してバッテリ24から直流が瞬時に供給されることにより、ユニット30の動作が強制終了されることなく、安定して動作させることができる。これにより、商用交流電源100の電源供給状況に関わらず、ユニット30の安定動作と急激な動作終了に伴う不具合の発生を抑止することができる。
【００４３】
また、本実施例では、第1スイッチ26を用いたが、第1スイッチ26を用いず、直接接点Pbからユニット30に接続しても上記安定動作をさせるという効果を奏することができる。但し、その場合、充電専用モード、バッテリ駆動モード(撮影制御)及び停止モードの設定は行なわないものとする。
【００４４】
＜第2実施形態＞
図6、7に基づいて、その他の実施形態について説明する。図6は、第2実施形態に係る移動型X線装置の内部構成を示すブロック図である。図7は、第2実施形態に係る移動型X線装置の各モードと第2スイッチ41及び第3スイッチa61、第3スイッチb62、第3スイッチc63、キースイッチ(モード選択部51から操作)のON/OFF、及び商用電源(プラグ)の接続/非接続のONまたはOFFとの対応関係を示す説明図である。
【００４５】
第2実施形態に係る移動型X線装置10bが第1実施形態に係る移動型X線装置10aと異なる点は、第1実施形態ではユニット30単位で駆動させるか否かを選択したのに対し、第2実施形態ではユニット30内の機能単位で選択・駆動させる点である。つまり、所定の機能を実現する単位ユニット、CR31・PC32・HUB33ごとに選択・駆動させる点である。
【００４６】
第2実施形態に係る移動型X線装置10bは、図6に示すように、第1実施形態に係る移動型X線装置10の第1スイッチ26に代えて、ユニット30内の単位ユニット、CR31・PC32・HUB33のそれぞれをON又はOFFにする単位ユニットを選択する選択手段として第3スイッチa61、第3スイッチb62、第3スイッチc63を備える。そして、モード選択部51において充電兼AC駆動モード又はバッテリ駆動モードを選択し、更に駆動をさせたい機能を選択することにより、所望する機能だけを充電中にAC駆動させることができる。
【００４７】
すなわち、本実施形態は、第1実施形態においてユニット単位でON又はOFFの選択を行っていた部分について、ユニット内の機能を実現する単位ユニット、CR31・PC32・HUB33ごとでONまたはOFFを選択することができる点に特徴がある。但し、バッテリ駆動(全機能)モードは、全機能を動作させるため、第3スイッチa61、第3スイッチb62、第3スイッチc63が全てONとなる。
【００４８】
また、本実施形態の「バッテリ駆動(撮影制御)モード」は、撮影制御部20のみを動作させるモードと定義したため、図7では第3スイッチa61、第3スイッチb62、第3スイッチc63をOFFと記載したが、撮影制御部20と共に動作させたい機能を選択して動作させるように構成してもよい。
【００４９】
この場合、図7の「バッテリ駆動(撮影制御)モード」の第3スイッチa61、第3スイッチb62、第3スイッチc63は、「ON/OFF」に書き換え可能である。これにより、撮影制御部40と共に、ユニット内の所望する機能だけを選択して動作させることができる。
【００５０】
本実施形態によれば、ユニット内の機能を実現する単位ユニットごとで動作をさせるか否かを選択できるため、充電兼AC駆動モードにおける充電時間の短縮化、またバッテリ駆動モードの動作中における省電力化を図ることができる。
【００５１】
また、前記選択手段を備えることで、前記外部電源又は前記バッテリの少なくとも一方により駆動させる前記単位ユニットを選択することができる。
【００５２】
本発明の主旨を逸脱しない範囲の変更は、全て本発明の技術的範囲に属するものである。よって、例えばスイッチや電圧変換部などの各構成要素の数や位置などは、上記実施形態に限定されるものではない。
【符号の説明】
【００５３】
1  本体部、2  X線発生部、3  X線可動絞り、4  台車、5  アーム、6  支柱、7  X線検出器、9  被検体、10  移動型X線装置
【図１】
2012067171.tif 000003
【図２】
2012067171.tif 000004
【図３】
2012067171.tif 000005
【図４】
2012067171.tif 000006
【図５】
2012067171.tif 000007
【図６】
2012067171.tif 000008
【図７】
2012067171.tif 000009
【手続補正書】
【提出日】平成25年5月31日(2013.5.31)
【手続補正１】
【補正対象書類名】明細書
【補正対象項目名】００１３
【補正方法】変更
【補正の内容】
【００１３】
また、前記第1の整流器は第1のダイオードであり、前記第2の整流器は第2のダイオードであり、前記第1のダイオードのアノード側は、前記AC-DC変換部の出力側に接続され、前記第1のダイオードのカソード側は、前記ユニットに接続され、前記第2のダイオードのアノード側は、前記バッテリ側に接続され、前記第2のダイオードのカソード側は前記第1のダイオードのカソード側に接続されていることを特徴とする。
【手続補正２】
【補正対象書類名】明細書
【補正対象項目名】００２７
【補正方法】変更
【補正の内容】
【００２７】
本実施形態では、ユニット30が備える各部として、イメージングプレートに蓄積された潜像を読み出す画像読取装置(以下「CR」と略記する)31と、撮影条件の入力設定や、CRで読み込んだ画像を表示させるための制御を行う制御部(以下「PC」と略記する)32と、院内LAN等の外部ネットワークに接続し、撮影に必要な情報、例えば被検体の撮影条件を示すオーダ情報を取得するための外部ネットワークとの通信装置の一部であるHUB33があるが、これらは一例にすぎず、ユニットが備える各機能は限定されない。CR31、PC32、HUB33の各部には、図示を省略するものの、各部に応じた電圧に変換するためのユニット電圧変換部を内蔵する。ユニットが直流電流にて動作する場合は、DC-DCコンバータにより構成されるが、ユニットが交流電流にて動作する場合は、DC-ACコンバータにより構成される。X線検出器7としてFPDを用いる場合にはCR31に代えてFPDからの電気信号に基づいて被検体のX線画像を生成する画像処理装置を用いてもよい。
【手続補正３】
【補正対象書類名】明細書
【補正対象項目名】００２８
【補正方法】変更
【補正の内容】
【００２８】
バッテリ24は、第2スイッチ41を介して、X線発生部2及びX線可動絞り3の動作を制御する撮影制御部40と電気的に接続される。更に、バッテリ24は、第2整流器27を介して、第1回路28と第1スイッチ26との間の接点Pbにおいて電気的に接続される。本実施形態では第2整流器27を、第2回路29と称する。
【手続補正４】
【補正対象書類名】明細書
【補正対象項目名】００３０
【補正方法】変更
【補正の内容】
【００３０】
移動型X線装置10aには、本体部1に備えられたダイヤル式スイッチやタッチパネル、コマンドスイッチ(キースイッチ)などを用いて各モードを選択するモード選択部51と、選択されたモードに応じて第1スイッチ26及び第2スイッチ41のON/OFF信号を送信し、モードに合った接続状態になるように制御する充電制御部50とを備える。充電制御部50は、電圧変換部21、第1スイッチ26、第2スイッチ41、モード選択部51、及び接点Pbと第1スイッチ26との間で接続される。充電制御部50は、モード選択部51で選択されたモードに従って、第1スイッチ26及び第2スイッチ41のON/OFFを制御する。
【手続補正５】
【補正対象書類名】明細書
【補正対象項目名】００３５
【補正方法】変更
【補正の内容】
【００３５】
商用交流電源100から安定して電流が供給されている間は、ユニット30へは、第1回路及び、第1スイッチ26を介してDCV1vの直流電圧が供給されて、ユニット30がAC電源駆動する。
【手続補正６】
【補正対象書類名】明細書
【補正対象項目名】００３６
【補正方法】変更
【補正の内容】
【００３６】
万一、商用交流電源100からの電流の供給が不安定となり、電圧降下を含む瞬停が生じた結果、AC-DC変換部22からの出力が停止、またはDCV2v未満になると、瞬時に接点Pbを介してバッテリ24からDCV2vの直流電圧がユニット30へ供給される。つまり、ユニット30が外部電源である商用交流電源100からの給電により駆動中に、商用交流電源100からの電圧が規定値(バッテリ24から出力される電圧DCV2v)以下になると、ユニット30に対してバッテリ24から給電される。言い換えれば、AC-DC変換部22から出力される電圧と、バッテリ24からから出力される電圧との電位差によって、電位の高い方からユニット30に対して給電される。
【手続補正７】
【補正対象書類名】明細書
【補正対象項目名】００４８
【補正方法】変更
【補正の内容】
【００４８】
また、本実施形態の「バッテリ駆動(撮影制御)モード」は、撮影制御部20のみを動作させるモードと定義したため、図7では第3スイッチa61、第3スイッチb62、第3スイッチc63をOFFと記載したが、撮影制御部40と共に動作させたい機能を選択して動作させるように構成してもよい。
【国際調査報告】
2012067171.tif 000010
2012067171.tif 000011
2012067171.tif 000012
2012067171.tif 000013